(57)【要約】    【課題】この発明は、カードの高密度実装を一層向上させるようにしたカードエッジ用コネクタを提起用することを目的とする。      【解決手段】この発明のカードエッジ用コネクタ１０では、カードロック手段１４をコネクタ本体１２から分離させるとともに、このカードロック手段１４によりカード１１をその前後方向からロックさせるようにした。    【選択図】  図１
2006216446.tif 000002
【特許請求の範囲】
【請求項１】
コネクタ本体と、該コネクタ本体に装着されたカードの脱落を防止するカードロック手段とを有するカードエッジ用コネクタにおいて、
前記カードロック手段を前記コネクタ本体から分離させるとともに、該カードロック手段は前記コネクタ本体に装着された前記カードをその前後方向からロックさせるようにしたことを特徴とするカードエッジ用コネクタ。
【請求項２】
前記カードには、その後端に孔が穿設され、前記カードロック手段は前記孔に着脱自在に嵌着するラッチ片からなることを特徴とする請求項１に記載のカードエッジ用コネクタ。
【請求項３】
前記孔は前記カードの後端に一対形成され、前記カードロック手段は前記一対の孔にそれぞれ嵌着する一対のラッチ片により構成されていることを特徴とする請求項２に記載のカードエッジ用コネクタ。
【請求項４】
前記一対のラッチ片は連動手段を介し同時に操作されることを特徴とする請求項３に記載のカードエッジ用コネクタ。
【請求項５】
前記連動手段は前記一対のラッチ片間を結合する連結アームと、この連結アームに連設され、前記カードの後端に係合する操作片とからなることを特徴とする請求項４に記載のカードエッジ用コネクタ。
【請求項６】
前記カードには、その後端に孔が穿設され、前記カードロック手段は前記カード後端に穿設された孔に嵌挿する位置決めボスと前記カードの後端に着脱自在に係合するラッチ片からなることを特徴とする請求項１に記載のカードエッジ用コネクタ。
【発明の詳細な説明】
【技術分野】
【０００１】
この発明は、外部記憶装置として使用されるメモリーモジュール等のカード（いわゆるＩＣカード）と印刷配線基板とを電気的に接続するためのカードエッジ用コネクタに関し、特に印刷配線基板上におけるカードの高密度実装を図ったカードエッジ用コネクタの改良に関する。  
【背景技術】
【０００２】
図９はカードを装着した従来のカードエッジ用コネクタ１の平面図である。
【０００３】
この従来のカードエッジ用コネクタ１は、印刷配線基板上に配設された平面略コの字形状のハウジング２により構成されている。
【０００４】
このハウジング２は、コネクタ本体３と、当該コネクタ本体３と一体に形成され、その両側から延設されたカードロック手段４である一対のカード保持アーム５，６とから構成されている。
【０００５】
そして、メモリーモジュール等のカード７は、カードロック手段４の各カード保持アーム５，６の先端上面に形成された突起５ａ，６ａと、その下面に形成された支持突起５ｂ，６ｂ間に位置決めロックされている。
【０００６】
なお、図９で符号８は、コネクタ本体２の前方から突出し、その下面に配設された図示せぬ印刷配線基板の印刷配線パターンと接続するコンタクトで、このコンタクト８を介してカード７と印刷配線基板は電気的に接続する。
【０００７】
一方、上述した従来のカードエッジ用コネクタ１では、当該コネクタ１からカードを取り外すには、図８の矢印Ａで示すように、上述したカードロック手段４を構成する一対のカード保持アーム５，６を互いに離間するように広げ、これによりカード７と一対のカード保持アーム５，６との間の係合（ロック）を解除し、その後カード７をコネクタ１から取り外すようにしていた。
【発明の開示】
【発明が解決しようとする課題】
【０００８】
ところで、上述した従来のカードエッジ用コネクタ１によると、カード７のロックを解除して当該カード７をとりはずす場合は、図９の矢印Ａのように、一対のカード保持アーム５，６を互いに離間するように広げるため、カードエッジ用コネクタ１の周辺には一対のカード保持アーム５，６を広げるためのスペースが必要で、このためカードエッジコネクタ１に隣接して当該カードエッジコネクタ１を多数配置し、これにより印刷配線基板上におけるカード７の高密度実装を一層向上させることができない難点があった。
【０００９】
この発明は、上述した事情に鑑み、カードの高密度実装を一層向上させるようにしたカードエッジ用コネクタを提起用することを目的とする。
【課題を解決するための手段】
【００１０】
上述した課題を解決するため、この発明では、コネクタ本体と、該コネクタ本体に装着されたカードの脱落を防止するカードロック手段とを有するカードエッジ用コネクタにおいて、  前記カードロック手段を前記コネクタ本体から分離させるとともに、該カードロック手段は前記コネクタ本体に装着された前記カードをその前後方向からロックさせるようにしている。
【発明の効果】
【００１１】
上述した本願発明に係るカードエッジ用コネクタによると、カードロック手段をコネクタ本体から分離させるとともに、コネクタ本体に装着されたカードをその前後方向からロックさせるようにしているため、コネクタ本体の両側方にはカードロック解除を操作するためのスペースが不要となり、このためコネクタ本体の両側方に隣接して他のコネクタ本体を配設することができ、このためカードの高密度実装を著しく向上させることが出来ることとなる。  
【発明を実施するための最良の形態】
【００１２】
以下、この発明に係るカードエッジ用コネクタの一実施例を詳述する。
【００１３】
図１はこの発明に係るカードエッジ用コネクタ１０を示す平面図で、特にカード１１を装着した状態を示すものである。
【００１４】
なお、実施例のカードエッジ用コネクタ１０に装着されているカード１１は、いわゆるｍｉｎｉ−ＰＣＩ  Ｅｘｐｒｅｓｓカード規格に準じたカードであり、この規格のカードでは、図１に示すように、カード１１の後端１１ａ両側方にそれぞれ一対の孔１１ｂが予め穿設されている。
【００１５】
このカードエッジ用コネクタ１０は、プラスチック等の合成樹脂で形成され、
コネクタ本体１２となる独立した部品のハウジング１３と、このコネクタ本体１２から分離し、かつ装着されたカード１１の後方側に離間して配設されたカードロック手段１４とから構成されている。なお、前記コネクタ本体１２の正面にはコンタクト１５が突出し、このコンタクト１５はその下面にある印刷配線基板１６の所定の印刷配線パターンと接続している。
【００１６】
一方、上述したカードロック手段１４は図１の要部拡大断面図で示す図３のように、カード後端１１ａの両側方にそれぞれ穿設された一対の孔１１ｂと対応する位置の印刷配線基板１６上に配設された一対のラッチ片２０から構成されている。
【００１７】
このラッチ片２０は、基台２１上に位置決め保持され、弾発性を有するように略Ｕ字形状に折り曲げられた弾性部２０ａと、カード後端１１ａに穿設された前記孔１１ｂの周縁と係合する断面略Ｌ字形状の係合部２０ｂとから構成されている。
【００１８】
上述したカードエッジ用コネクタ１０によると、図２の２点鎖線で示すように、カード１１の先端をコネクタ本体１２内に嵌挿した後、矢印Ｂで示すように、当該カード１１を印刷配線基板１６側へ押し付けると、図１で示すように、カード後端１１ａに穿設された前記孔１１ｂとカードロック手段１４を構成するラッチ片２０の係合部２０ｂとが係合し、このため図３で示すようにカード１１がカードロック手段１４により印刷配線基板１６上でその前後方向から位置決めロックされることとなる。
【００１９】
一方、カードロック手段１４のラッチ片２０により印刷配線基板１６上でその前後方向から位置決めロックされたカード１１を取り外す場合は、図３で示すように、オペレータあるいは冶具によりラッチ片２０の係合部２０ｂを矢印Ｃ方向、即ちカード１１の後方へ押圧するとラッチ片２０の係合部２０ｂとカード１１の孔１１ｂとの係合が解除され、このため図２の矢印Ｄで示すように、当該カード１１を印刷配線基板１６上から持ち上げれば、カード１１は簡単にカードエッジ用コネクタ１０から取り外すことが可能となる。
【００２０】
なお、上記実施例では、カードロック手段１４をカード後端１１ａの孔１１ｂに嵌着するラッチ片２０で構成するようにしたが、この発明は上記実施例に限定されることなく、図３と同一部分を同一符号で示す図４のように、カードロック手段１４をカード後端１１ａの孔１１ｂ内に嵌挿する位置決めボス３０とラッチ片２０とにより構成し、このラッチ片２０をカード１１の後端１１ａに着脱自在に係合させて、カード１１を印刷配線基板１６上にロックさせるようにしても良い。
【００２１】
なお、図４に示す実施例の場合も、オペレータあるいは冶具によりラッチ片２０の係合部２０ｂを矢印Ｃ方向、即ちカード１１の後方へ押圧するとラッチ片２０の係合部２０ｂとカード後端１１ａとの係合が解除され、このため当該カード１１を印刷配線基板１６上から持ち上げれば、カード１１は簡単にカードエッジ用コネクタ１０から取り外すことが可能となる。
【００２２】
なお、上記実施例では、カードロック手段１４をカード後端１１ａの両側方にそれぞれ穿設された一対の孔１１ｂと係合する一対のラッチ片２０により構成するようにしたが、この発明は上記実施例に限定されることなく、図１と同一部分を同一符号で示す図５のように、一対のラッチ片２０と、この一対のラッチ片２０を一時に連動して操作する連動手段４０とから構成するようにしても良い。
【００２３】
この連動手段４０は、図５の要部拡大断面図で示す図７のように、ラッチ片２０の係合部２０ｂ先端から折り返すように一体に延設され、さらに図５で示すように、一対のラッチ片２０間を結合するように延設された連結アーム４０ａと、この連結アーム４０ａに連設され、カード後端１１ａ側へ突出し、当該後端１１ａに係合する操作片４０ｂとから構成されている。
【００２４】
このような連動手段４０を有するカードロック手段１４によると、図６の２点鎖線で示すように、カード１１の先端をコネクタ本体１２内に嵌挿した後、矢印Ｂで示すように、当該カード１１を印刷配線基板１６側へ押し付けると、図５で示すように、カード後端１１ａに穿設された前記孔１１ｂとカードロック手段１４を構成する一対のラッチ片２０の各係合部２０ｂが係合するとともに、連動手段４０の操作片４０ｂがカード後端１１ａ側へ突出し、当該後端１１ａに係合してカード１１を印刷配線基板１６上でその前後方向から位置決めロックする。
【００２５】
一方、カードロック手段１４のラッチ片２０および連動手段４０の操作片４０ｂにより印刷配線基板１６上でその前後方向から位置決めロックされたカード１１を取り外す場合は、図７で示すように、オペレータあるいは冶具により連動手段４０の操作片４０ｂを矢印Ｃ方向、即ちカード１１の後方へ押圧すると操作片４０ｂとカード後端１１ａ、およびラッチ片２０の係合部２０ｂとカード１１の孔１１ｂとの係合がそれぞれ同時に解除され、このため図６の矢印Ｄで示すように、当該カード１１を印刷配線基板１６上から持ち上げれば、カード１１は簡単にカードエッジ用コネクタ１０から取り外すことが可能となる。
【００２６】
従って、各実施例に記載した本願発明のカードエッジ用コネクタ１０によると、カードロック手段１４をコネクタ本体１２から分離させるとともに、カードロック手段１４によりカード１１をその前後方向からロックさせるようにしているから、図８の平面図で示すように、各コネクタ本体１２の両側方にはカードロック解除を操作するためのスペースが不要で、このため図示の如くコネクタ本体１２の両側方にそれぞれ隣接して他のコネクタ本体１２を配設することができ、このため印刷配線基板上１６におけるカード１１の高密度実装を著しく向上させることが出来ることとなる。
【産業上の利用可能性】
【００２７】
以上説明したように、この発明は、印刷配線基板上でカードの高密度実装を一層向上させるようにしたカードエッジ用コネクタに適している。
【図面の簡単な説明】
【００２８】
【図１】図１はこの発明に係るカードエッジ用コネクタの平面図。
【図２】図２はこの発明に係るカードエッジ用コネクタの使用方法を示す概念側面図。
【図３】図３は図１の要部拡大断面図。
【図４】図４は他の実施例を示す拡大断面図。
【図５】図５はこの発明に係るカードエッジ用コネクタの他の実施例を示す平面図。
【図６】図６は他の実施例の使用方法を示す概念側面図。
【図７】図７は図５の要部拡大断面図。
【図８】図８はこの発明にかかわるカードエッジ用コネクタの作用を示す平面図。
【図９】従来のカードエッジ用コネクタの平面図である。
【符号の説明】
【００２９】
１０…カードエッジ用コネクタ
１１…カードロック手段
１１ｂ…孔
１２…コネクタ本体
２０…ラッチ片
３０…置決めボス
４０…連動手段
４０ａ…連結アーム
４０ｂ…操作片  
【図１】
2006216446.tif 000003
【図２】
2006216446.tif 000004
【図３】
2006216446.tif 000005
【図４】
2006216446.tif 000006
【図５】
2006216446.tif 000007
【図６】
2006216446.tif 000008
【図７】
2006216446.tif 000009
【図８】
2006216446.tif 000010
【図９】
2006216446.tif 000011